Podtech/llm-jp-corpus-v4-ja_patent huggingface dataset:
(57)【要約】      （修正有）【課題】本考案はゴルフパター練習器の表面マット面の下部に芯材マット部を設け、ゴルフコースのグリーンの傾斜に近い状況でのパター練習を可能にした。【解決手段】本考案は、パター練習用表面マット下部に粒状の物質を内蔵させた芯材マット部2を設け、この粒状物質の流動性により、芯材マットの厚みを変化させることにより、表面マット面を任意に多様な傾斜を創り出すものである。表面マット部1と芯材マット部2を分離すれば、傾斜のみならず転がり速度の異なる表面マットとの交換ができるものである。パター練習器のホールカップ3は両側に複数設けることにより、打つサイドによって傾斜が逆になったり、ねらうホールカップによって傾斜の影響の程度が異なったるりするためより多様な練習を可能になる。【選択図】図１
0003101518.tif 000002
【実用新案登録請求の範囲】
【請求項１】
パター練習用の表面マット下部に粒状の物質を内蔵させた芯材マット部を設け、この粒状マット部の粒状物質の流動性により、芯材マットの厚みを変化させことにより、表面マットに多様な傾斜を自由に設定できるパターの練習器。
【請求項２】
上記「請求項１」の表面マット部と芯材マット部を分離出来るようにすることにより、表面マットの交換が可能になり、ゴルフボールの転がり速度の異なる表面マットの設置を可能にしたパター練習。
【請求項３】
本考案のパター練習器のホールカップは両側に複数設けることにより、打つサイドによって傾斜が逆になったり、ねらうホールカップによって傾斜の影響の程度が異なったりするため、より多様な練習が可能になる。
【考案の詳細な説明】
【技術分野】
【０００１】  本考案は、パター練習用の表面マット下部に粒状の物質を内蔵させた芯材マット部を設けた、ゴルフのパター練習器に関するものである。
【背景技術】
【０００２】  パター練習機器の表面の傾斜に関して観ると、可搬収納出来る一般家庭用等のものは、カップ近くが上り斜面になっているものの、全体的には大部分が平坦なマット面となっている。また、据え置き式のものは、傾斜があっても固定的な傾斜設定であったり、一部分が機械操作によって隆起し傾斜を変化させるもので、自由に変化させることはできない。【０００３】  据え置き式のパター練習器は、高額で重量があり、また場所を占有するため一般家庭用としても、使用が困難である。
【考案の開示】
【考案が解決しようとする課題】
【０００４】  ゴルフコースのグリーンは、多様な傾斜によって構成されている。パッテングは、この傾斜の状況・芝の状況・カップまでの距離等を考え、打ち出し方向・強さを変えなければならない。従来は、この傾斜のあるグリーンを想定した練習を行うには、ゴルフコースやゴルフ練習場の練習用グリーンで行うのが一般的な練習方法であり、一般家庭内やオフィス等では困難であった。
【課題を解決するための手段】
【０００５】  本考案は、パター練習用の表面マット下部に粒状の物質を内蔵させた芯材マット部を設け、この粒状物質の流動性により、芯材マットの厚みを変化させることにより、表面マット面に、任意で多様な傾斜を創り出すものである。【０００６】  表面マット部と芯材マット部を分離すれば、傾斜のみならず転がり速度の異なる表面マットとの交換が出来るものである。
【考案の効果】
【０００７】  上述のように、任意に多様な傾斜を創り出し、転がり速度の異なる表面マットとの交換ができるようになるため、ゴルフコースのグリーンに近い状況でのパター練習が可能になる。【０００８】  使用者自らが傾斜を設定できることから、不得意の傾斜の練習や変化のある練習ができため飽きのこない練習が期待できる。【０００９】  軽量で、収納可能であることから場所を取らず、機械操作・電気が不要であり安価なパター練習器である。
【考案を実施するための最良の形態】
【００１０】  パター練習器の表面マット部と芯材マット部が一体となっている場合は、手等で内蔵の粒状物質を移動させ希望する傾斜を粗く創り、その後ローラー等で転圧し無用な凹凸を整形し、なだらかな傾斜にしてパター練習を行う。【００１１】  パター練習器の表面マット部と芯材マット部が分離したものの場合は、芯材マット部を上記の要領で整形した後に、表面マットを載せて行う。
【実施例１】
【００１２】  以下、添付図面
【図１】
に従って一実施例を説明する。１は表面マット部、２は芯材マット部、３はホールカップ、４はゴルフボールで、２ア・２イ・２ウ・２エは芯材マットの四隅の状況である。２ア方向を１番厚く、２イ・２エ方向を中程度に厚く、２ウ方向を薄くした場合の例である。ホールカップは、両側にそれぞれ複数設けるが、本実施例では２箇所とした。
【００１３】  ゴルフポール４をＡ方向にパットする場合は、上りのフックラインが基調となるが、ボールの位置を前後・左右に変えたり、目標のホールカップを変えることにより、打ち出し方向・強さの程度を変えたパター練習を行う。Ｂ方向にパットする場合は、下りのスライスラインが基調となるが、ボールの位置・目標ホールカップにより、打ち出し方向・強さの程度を変えたパター練習を行う。
【図面の簡単な説明】
【００１４】
【図１】本考案の傾斜を自由に設定できるパター練習器の一実施例の立体図である。
【図２】本パター練習器の側面図である。
【図３】本パター練習器の一部拡大断面図である。
【符号の説明】
【００１５】    １表面マット部    ２芯材マット部    ３ホールカップ    ４ゴルフボール    ５粒状物質    ６芯材マットの外覆    Ａゴルフボールの打ち出し方向    Ｂゴルフボールの打ち出し方向
【図１】
0003101518.tif 000003
【図２】
0003101518.tif 000004
【図３】
0003101518.tif 000005
【手続補正書】
【提出日】平成15年11月14日(2003.11.14)
【手続補正１】
【補正対象書類名】実用新案登録請求の範囲
【補正対象項目名】全文
【補正方法】変更
【補正の内容】
【実用新案登録請求の範囲】
【請求項１】
パター練習用の表面マット下部に粒状の物質を内蔵させた芯材マット部を設け、この粒状マット部の粒状物質の流動性により、芯材マットの厚みを変化させることにより、表面マットに多様な傾斜を自由に設定できるパターの練習器。
【請求項２】
上記請求項１の表面マット部と芯材マット部を分離出来るようにすることにより、表面マットの交換が可能になり、ゴルフボールの転がり速度の異なる表面マットの設置を可能にしたパター練習器。
【請求項３】
上記請求項１並びに請求項２のマットには帯状マットの両側の終端部付近に複数のホールカップを設けた練習器。
(57)【要約】      （修正有）【課題】掛式便器の上に跨がり、お尻を便座より上げズボン及びパンツを下げ上げが一人で簡単に出来る。【解決手段】トイレ用車椅子で腰掛式便器を跨ぐようにした。１２ボルトの充電式バッテリーを使用してモーターで油圧ポンプを回しシリンダーに圧力掛けＴクランプを押上げ胴脇横クランプを締め上げお尻を便座より上げズボン及びパンツを下げ上げが一人で出来る。【選択図】図５
0003101520.tif 000002
【実用新案登録請求の範囲】
【請求項１】
１２ボルトの充電式バッテリー（１）使用し電動モーター（３）で油圧ポンプ（４）を回しシリンダー（５）に油圧をかけＴクランプ（９）を、押上げ胴脇横クランプを締め上げ、お尻を便座より上げ、ズボン及びパンツを下げ上げ出来るトイレ用車椅子。
【請求項２】
トイレ用車椅子に乗り降りが楽に出きる様に胴脇横クランプ両側中央部に蝶番を取付けた。調整できるベルトを装着して安定したトイレ用車椅子。
【請求項３】
前輪五十センチ程度のタイヤを使い後輪に自在車を取付け腰掛式便器の上を跨ぐようにした。又、シャワー洗浄装置の部に当たらないようにしたトイレ用車椅子。
【考案の詳細な説明】
【０００１】
【考案の属する技術分野】
本考案は足の不自由な人が、トイレに行きズボン及びパンツ等の下げ上げが大変である。１２ボルト充電式バッテリー（１）を使用してモーター（３）で油圧ポンプ（４）を回しシリンダー（５）に圧力を掛けＴクランプを押上げ胴脇横クランプで締め上げ便座よりお尻を上げ、両方の手を使いズボン及びパンツを下げ上げが楽に出来る装置である。
【０００２】
【従来の技術】
従来の車椅子の場合は、トイレに行き腰掛式便器に移動するのも大変である。
又、便座の上でズボン及びパンツの下げるのも困難であり時間もかかった。
【０００３】
【考案が解決しようとする課題】
従来の車椅子でのトイレは車椅子が大きく腰掛式便器に移動が大変であり介護人を必要とした問題点があった。
【０００４】
また、腰掛式便器の上でズボン及びパンツを下げ上げするのに大変で、時間もかかる問題点があった。
【０００５】
【課題を解決するための手段】
上記の目的を達成するため、本考案は車椅子に乗ったまま後ろ向きで腰掛式便器の上まで車椅子で行けるようにした。
【０００６】
しかし、トイレ用車椅子に乗り降りが大変である胴脇部分の中央に、蝶番を取り付け自由に動くようにし、乗り降りが楽に出きる様にした。
【０００７】
シリンダーでＴクランプを押上げ胴脇横クランプを締め上げるようにした。
【０００８】
胴脇の部が締め上がり痛いので調整出きる様に、胸元をベルトで固定した。
【０００９】
お尻が便座より上がったら両手でズボン及びパンツを簡単に下げ上げ出来るようにした。
【００１０】
【考案の実施の形態】
考案の実施の形態を実施例に基づき図面を参照して説明。
図１トイレ用車椅子の平面図である。胴脇横クランプ（１０）蝶番（１１）取付けにより大きく開き乗りやすくした。
【００１１】
図２トイレ用車椅子の横断面図である。腰掛式便器に跨ぐ用に後ろ向きで進みシャワー洗浄装置に当たらないよう後輪に自在車（１５）をとりつけた。
【００１２】
図３トイレ用車椅子後ろ側の断面図である。
腰掛式便器のタンクに当たらないよう上の方にモーター（３）ポンプ（４）取付け油タンク（６）はビニール袋状のものを使いコンパクトにした。
【００１３】
図４トイレ用車椅子に乗って便座からお尻が浮いた状態の平面図である。
【００１４】
図５横断面図である。胴脇横クランプ（１０）蝶番（１１）で胴全体をしっかり押さえ固定ベルトを取付ける。スイッチ（２）を押しモーターで油圧ポンプを回しシリンダーに圧力を掛けシリンダーのシャフトが伸びＴクランプを押上げ胴脇横クランプが上がり便座からお尻が浮き両手でズボン及びパンツを下げ上げ出来る装置である。
【００１５】
図６同上の後ろ側断面図である。
【００１６】
【考案の効果】
本考案は、以上説明したように構成されているので、次に記載されるような効果を奏する。
【００１７】
請求項１の１２ボルトの充電式バッテリーを使いモーターで油圧ポンプを回しシリンダーに油圧を掛けＴクランプを押上げ胴脇横クランプ締め上げ便座よりお尻を上げることが出来た。
【００１８】
請求項２トイレ用車椅子に乗り降り楽のように両側胴脇横クランプ中央に蝶番を取り付け大きく開き乗り降りが楽で調整できるベルトを取付け安定した上がりである。
【００１９】
請求項３前輪五十センチ程度のタイヤを使い後輪に自在車を取付け後ろ向きで腰掛式便器の上に跨ぐように進みシャワー洗浄装置の部に当たらないようにした。
【図面の簡単な説明】
【図１】トイレ用車椅子の平面図
【図２】トイレ用車椅子の横断面図
【図３】トイレ用車椅子の後ろ側断面図
【図４】トイレ用車椅子に乗り便座からお尻が上がった状態の平面図
【図５】同上の横断面図
【図６】同上の後ろ側断面図
【符号の説明】
１  １２ボルト充電式バッテリー
２  スイッチ
３  モーター
４  油圧ポンプ
５  シリンダー
６  油タンク
７  逆止弁
８  ボールバルブ
９  Ｔクランプ逆止弁
１０  胴脇横クランプ
１１  蝶番
１２  固定ベルト
１３  便座
１４  前輪タイヤ
１５  自在車
１６  フレーム
１７  耐圧ホース
【図１】
0003101520.tif 000003
【図２】
0003101520.tif 000004
【図３】
0003101520.tif 000005
【図４】
0003101520.tif 000006
【図５】
0003101520.tif 000007
【図６】
0003101520.tif 000008
【手続補正書】
【提出日】平成15年9月4日(2003.9.4)
【手続補正１】
【補正対象書類名】明細書
【補正対象項目名】実用新案登録請求の範囲
【補正方法】変更
【補正の内容】
【実用新案登録請求の範囲】
【請求項１】
１２ボルトの充電式バッテリー（１）を使用し電動モーター（３）で油圧ポンプ（４）を回しシリンダー（５）に油圧を掛けＴクランプ（９）を押上げ、胴脇横クランプを締め上げ、お尻を浮かせ両手でズボン及びパンツを下げ上げできるトイレ用車椅子。
【請求項２】
トイレ用車椅子に乗り降りが楽に出きる様に胴脇横クランプ両側中央部に蝶番を取付けかつ調整できるベルトを装着することにより安定したトイレ用車椅子。
【請求項３】
便器脇のお尻洗浄装置スイッチに当たらないように、前輪に五十センチ程度のタイヤを使い後輪には小さい自在車を取付け、腰掛式便器にすっぽりはまるようにしたトイレ用車椅子。
(57)【要約】      （修正有）【課題】安全かつ安心して使用できる杖を提供する。【解決手段】ステンレス製螺旋スプリング足の中に鈴を入れることにより、歩行の際に、周りの人に体の不自由な人、お年寄りの方がそばで、歩行していることを知らせる。手足、腰等の弱っているお年寄りの方には、ステンレス製螺旋スプリング足により衝撃を和らげる。【選択図】図１
0003101514.tif 000002
【実用新案登録請求の範囲】
【請求項１】
【考案の詳細な説明】
【０００１】
【考案に属する技術分野】
本考案は、杖（ステッキ）足部「地面に当たる所」に、ステンレス製螺旋スプリングを足底ゴムに取り付ける。ステンレス製螺旋スプリング足に関するものである。
【０００２】
【従来の技術】
杖（ステッキ）頭「手持ちの部分」と杖（ステッキ）足「足先の部分」が垂直杖（ステッキ）を使用しています。
【０００３】
【考案が解決しようとする課題】
ステンレス製螺旋スプリング足は、体の御不自由な方、お年寄りの方がお使いになる杖（ステッキ）を安全に、腕、手首、腰、の負担を軽減し、安心して使用していただきたいと思います．
【０００４】
【課題を解決するための手段】
本考案は、杖（ステッキ）にステンレス製螺旋スプリング足を装着することによって、スプリング製螺旋スプリング足内に鈴を入れることによって、体の不自由な方、お年寄りの方が鈴の音によって、周りの人に知らせることが出来ます。それによって、体の不自由な方の歩行の安全性にもつながります。また、ステンレス製螺旋スプリング足のため、地面に当たる衝撃がクッションとなるため、従来の杖（ステッキ）の問題点を解決している。
【０００５】
【考案の実施の形態】
ステンレス製螺旋スプリング足を杖（ステッキ）に装着することによって、体の不自由な方、お年寄りの方が、歩行の際、階段等の下がり、上がりがステンレス製螺旋スプリング足の程好い強弱により、安全面と疲労の軽減となる。
【０００６】
【実施例】
以下、添付図面に従って、一実施例を説明する。図面１は、ステンレス製螺旋スプリング足本体正面、図面２は、ステンレス製螺旋スプリング断面、３は、杖ステッキ本体に装着する部分、４は、螺旋スプリング、５は、足底ゴムキャップに装着する部分です。
【考案の効果】
上述の様に、本考案のステンレス製螺旋スプリング足は、体の不自由な方、お年寄りの方が、簡単に装着が出来ます。ステンレス製螺旋スプリング足を装着した杖（ステッキ）で、安全な歩行、安心できる歩行に役に立つ。
【図面の簡単な説明】
【図１】本考案のステンレス製螺旋スプリング足の本体正面図である。
【図２】本ステンレス製螺旋スプリング足の断面図である。
【符号の説明】
３  杖ステッキ本体に装着する部分
４  螺旋スプリング部分
５  足底ゴムキャップに装着する部分
【図１】
0003101514.tif 000003
【図２】
0003101514.tif 000004
【手続補正書】
【提出日】平成15年9月11日(2003.9.11)
【手続補正１】
【補正対象書類名】明細書
【補正対象項目名】実用新案登録請求の範囲
【補正方法】変更
【補正の内容】
【実用新案登録請求の範囲】
【請求項１】
ステンレス製螺旋スプリングによる杖ステッキの足部
【手続補正書】
【提出日】平成15年11月25日(2003.11.25)
【手続補正１】
【補正対象書類名】明細書
【補正対象項目名】実用新案登録請求の範囲
【補正方法】変更
【補正の内容】
【実用新案登録請求の範囲】
【請求項１】
杖ステッキ本体への装着部分と、螺旋スプリング部分と、足底ゴ厶キャップに装着する部分とからなる、杖ステッキ用ステンレス製螺旋スプリング足。
(57)【要約】      （修正有）【課題】タバコを吸う時２・３回吸って捨てる時があるが、タバコの値段も上がったという事ですごくもったいない。といえども１度灰皿で火を消すと先がつぶれ、また火をつけるという事はすごくいやな思いをする。吸い終ってまだ残りの長いタバコ、つまりシケモクを気持ちよく吸えるようにする。【解決手段】タバコの先をきれいに切る。そして切った時、刃物の固定によってゴミとの交じわりもなくきれいに保存できるようにした。【選択図】図１
0003101517.tif 000002
【実用新案登録請求の範囲】
【請求項１】
吸い終って残りの長いタバコの先を切って保存し、もう１度吸えるキャップ付きケース。
【考案の詳細な説明】
【考案の詳細な説明】
【考案が解決しようとする課題】
【０００１】タバコを吸う時２・３回吸って捨てる時があるが、タバコの値段も上がったという事ですごくもったいない。といえども１度灰皿で火を消すと先がつぶれ、また火をつけるという事はすごくいやな思いをするという問題点。
【課題を解決するための手段】
【０００２】タバコの先を刃物１の部分できれいに切ってキャップ２をしてタバコを保存する。この時刃物１を下におろしっぱなしになるようにしておき、切ったゴミと交じわらないようにする。ゴミは下の捨て口４から捨てられる。
【考案の効果】
【０００３】タバコの先を刃物できれいに切る事によってまた吸いたい時に見た目も気持ちも抵抗なくスムーズに火をつけて吸える。つまりおしゃれなシケモクになるのです。
【図面の簡単な説明】
【０００４】
【図１】本体、中身の構造の図
【符号の説明】
【０００５】１．刃物
２．キャップ
３．タバコ
４．下のゴミ捨て口
【図１】
0003101517.tif 000003
【手続補正書】
【提出日】平成15年11月18日(2003.11.18)
【手続補正１】
【補正対象書類名】実用新案登録請求の範囲
【補正対象項目名】全文
【補正方法】変更
【補正の内容】
【実用新案登録請求の範囲】
【請求項１】
・吸い終わったタバコを収納するケース本体の長手方向中間部位に、タバコの先端を切断する刃物（１）をケース本体の長手方向と直角に設けたキャップ付きケース。
(57)【要約】      （修正有）【課題】疲労感が従来より軽い階段を提供する。【解決手段】階段部は、従来通りの一階階高で低いけあげと一段多い段数と二箇所の踊り場１・２で疲労感を減らす。収納部３は、床板と小梁４、開口周りの下がり壁、袖壁５を脱着可能とし、昇降機用シャフトへ転用可能とする。収納部の一階床下にピット用スペースを設置。階段下スペース６を昇降機用機械室やトイレに活用する。【選択図】図１
0003101512.tif 000002
【実用新案登録請求の範囲】
【請求項１】
二つの踊り場とゆるい傾斜を持つ階段を設け、これにより発生した広い中央スペースを収納に活用する。更にこの収納スペースを床板と小梁、開口まわりの下がり壁や袖壁を取り外すことでホームエレベーターなどの昇降機用シャフトへの転用可能とする。尚、階段下スペースは昇降機用機械室に転用可能な収納スペースやトイレに活用する。以上の事を奥行芯芯間１８００ｍｍから実現する。
【考案の詳細な説明】
【０００１】
【産業上の利用分野】
本考案は、一戸建住宅の階段部分とそれに付随する空きスペースに関する平・断面計画、構造、組み合わせ、ユニット化した材料に関するものである。
【０００２】
【従来の技術】
車椅子で階段を登るものと、リフトの据付に関する登録例有り。
【０００３】
【考案が解決しようとする課題】
一戸建住宅での従来の階段は、高齢者には傾斜がきつく、上がり疲れを補う踊り場も一つでは少ないといえる。また、昇降機用スペースが元々ないので、昇降機の後付けは困難で、できたとしても手間と費用がかさんだ。
【０００４】
【課題を解決しようとする手段】
階段については、けあげの高さを従来より一割低くし、段数は一段増やすことで傾斜をゆるくする。更に踊り場を二つにすることで、上がり疲れを癒す機会を倍増させる。これにより中央に生じる空きスペースを収納に活用する。この収納は床板と小梁、開口まわりの下がり壁と袖壁の取り外しを可能とし昇降機用スペースへの転用可能とする。これで昇降機導入時の手間と費用を軽減させる。また階段下スペースを昇降機用機械室の他、必要に応じトイレに活用する。
【０００５】
【実施例】
階段は、低いけあげと一段多い段数と二箇所とした踊り場１・２により上がる際の疲労感を軽減させる。尚、一階の階高は従来通り。収納部３は、床板と小梁４、開口周りの下がり壁・袖壁５を脱着可能とし昇降機用シャフトへ転用可能とする。その為、収納部の一階床下にピット用スペースαを設ける。また階段下スペース６を昇降機用機械室に転用可能な収納とし配管用開口７ａを設ける他、施主の要望と昇降機の機種次第でトイレ７ｂに活用。収納部の床板８は小梁９の上に敷きビス止めとし、小梁９はかま掛けを改良した掛け方で大梁１０に掛けボルト締めとする。開口周りの下がり壁・袖壁５を近接する構造体に接続させる方法は、ほぞさし１１、ボルト締め１２、金具による取り付け１３を必要に応じ選択する。階段部の奥行１４を普及に有効なサイズである芯芯間１８００ｍｍに抑える場合は必要に応じ壁仕上げの一部をアルミパネルとする。状況次第で、収納部の床板と小梁４はＡＬＣやＰＣ技術、開口周りの下がり壁・袖壁５はパーティション技術転用での効率化有。
【０００６】
【考案の効果】
階段は、従来より上がる際の疲労感が軽減する。収納部は１、２階共あるため従来より広く収納スペースが確保され、かつ、昇降機用スペースも確保される。また、昇降機導入の際の手間と費用も軽減できる。階段下スペースをトイレに活用すれば、更なるスペースの有効活用が可能。
【図面の簡単な説明】
【図１】平面図・Ｂ−Ｂｂ断面図・平面計画第二案（トイレスペース取込案）・開口周り下り壁・袖壁取合部詳細図
【図２】Ａ−Ａｂ断面図
【符号の説明】
１・２：踊り場
３：収納部
４：収納部の床板と小梁
５：収納部開口周りの下がり壁、袖壁
６：階段下スペース
７ａ：油圧式昇降機配管用開口
７ｂ：トイレ
８：収納部の床板
９：収納部の小梁
１０：収納部の大梁
１１：収納部開口周りの下がり壁・袖壁取合部のほぞさし
１２：収納部開口周りの下がり壁・袖壁取合部のボルト締め
１３：収納部開口周りの下がり壁・袖壁取合部の金具による取り付け
１４：階段部の奥行芯芯間
α：ピット用スペース
【図１】
0003101512.tif 000003
【図２】
0003101512.tif 000004
【手続補正書】
【提出日】平成15年8月18日(2003.8.18)
【手続補正１】
【補正対象書類名】明細書
【補正対象項目名】実用新案登録請求の範囲
【補正方法】変更
【補正の内容】
【実用新案登録請求の範囲】
【請求項１】
昇降機への転用可収納付高齢者用階段において、
（１）  二つの踊り場。
（２）  ゆるい傾斜の階段。
（３）  床板と小梁、開口まわりの戸と下がり壁と袖壁などを取り外せる収納部。
（４）  昇降機用機械室に転用可能な階段下収納部。
（５）  階段下の空間を利用したトイレ。
（６）  奥行を芯芯間１８００ｍｍまで縮められる構成。
以上からなる昇降機への転用可収納付高齢者用階段。
【手続補正書】
【提出日】平成15年10月30日(2003.10.30)
【手続補正１】
【補正対象書類名】明細書
【補正対象項目名】実用新案登録請求の範囲
【補正方法】変更
【補正の内容】
【実用新案登録請求の範囲】
【請求項１】
昇降機への転用可収納付高齢者用階段において、
（１）”二つの踊り場１・２”と”ゆるい傾斜の階段”により階段の中央部に発生した空間に設ける″床板と小梁４、開口まわりの戸と下がり壁と袖壁５などを取り外せる収納部３″。
（２）  階段の段部のうち、２階床寄りの部分の真下の空間６に″昇降機用機械室に転用可能な収納部″か″その他の用途の空間７ｂ″のいずれかを設けられる汎用性をもたせる事。
以上からなる昇降機への転用可収納付高齢者用階段。
(57)【要約】      （修正有）【課題】下衣を両面着用できるようにすることによって、コーディネートの幅を広げたり、旅行荷物の軽減ができる、リバージブルパンツの提供。【解決手段】下衣の中心を前立て前端から前立て中心に変え、前立てを別布でなく折り畳み仕様でファスナーを挟み込み、デザインの違う両面のポケットを同サイズにし、両面のベルトループの位置を共通化させ、折伏せ縫い等の布端が見えない縫い方法で縫い糸も考えることによって課題を解決している。【選択図】図５
0003101519.tif 000002
【実用新案登録請求の範囲】
【請求項１】
一本のパンツでリバーシブル（両面）着用でき、両面のデザイン変化でいろんなコーディネートが楽しめる下衣。
【考案の詳細な説明】
【考案の詳細な説明】
【技術分野】
【０００１】  本考案は、両面が着用できる下衣に関するものである。
【背景技術】
【０００２】  従来の下衣は、表面での着用のみのデザイン・仕様から作られている。
【考案が解決しようとする課題】
【０００３】  カジュアル系とドレス系とか、紺系と茶系といったように一本の下衣では複数のコーディネートをしにくいといった問題があり、旅行時などに複数の下衣を持参する必要があった。そこで、一本の下衣で２つの着こなしを楽しむことが出来る下衣を提供することを目的とする。
【課題を解決するための手段】
【０００４】  本考案は、下衣のファスナー前立て部分、両面のポケットデザイン、ベルトループ、縫い糸・縫い方法によって課題を解決している。
【考案を実施するための最良の形態】
【０００５】  従来の前立ては、裏着用するとバランスが右に行き過ぎるため、そのバランスを考え前立て中央を中心にし、表裏のポケットの大きさや表裏のベルトループを共通化させることや縫い方法の改善をしたり、上下色糸を工夫することによって、裏着用を可能にしている。
【実施例】
【０００６】  以下、添付図面に従って一実施例を説明する。図１は一般的な下衣パターンで通常の表面着用時は図２ように前立ての前端が左右の中心線となるのが一般的であるが、このパターンをベースにしてリバーシブルを作って裏着用すると図３のように前立ての中心がかなり着用時に右に寄ってしまうため、左右の中心線を前立ての中心部に移動し前端を出来るだけ直線にすることによって、図４のように表を着用しても裏を着用しても同じバランスの前立てを作ることが出来る。【０００７】  通常前立て部分は別布で作っていくが、それによってどうしても厚みが出過ぎるため、畳み込むことによって前立ての厚みを緩和してリバーシブル用のファスナーを挟み込む仕様（図５）にする。【０００８】  図５にあるように、表裏デザイン違いのポケットを同じ大きさに設定することによって、ポケットスレキ（共地）を共通化しポケット部分を出来るだけ薄く仕上げることが出来る。【０００９】  表裏のベルトループの位置を変えてループを付けると両面に意味のない下糸だけが見えいかにも裏と解るが、図４にあるようにベルトループの位置を共通させることによって、下糸を裏と感じさせないように見せることが出来る。【００１０】  さらに、脇線・尻繰り・内股の縦方向の縫いは、図６ａが示すように一般的にはロックをして片倒し縫い後ステッチを入れたりするが、このリバーシブル仕様では折伏せ縫い（図６ｂ）・巻き縫い・袋縫いといった生地端の隠れる縫いを基本とし、特に尻繰り部分は左右の中心線を従来の地縫い線ではなく、ステッチの中央に設定することによって、表裏の着用時にちょうど良い中心バランスを可能にしている。【００１１】  そして、表裏の色や表情の違う生地の場合、縫いミシンの上糸下糸の色を変えたりして、更に変化をつけることが出来る。
【考案の効果】
【００１２】  表裏のどちらを着用しても無理のない良いデザインバランスで、片面ドレスデザイン・片面カジュアルデザインとか表情の違うダブルフェースの素材などでこのリバーシブル・パンツを作ることによって、ドレスアップ的なコーディネートしたりカジュアル的なコーディネートしたりというように一本のパンツコーディネートの汎用性が増すだけでなく、旅行などの荷物の軽減のも役立つ、オシャレと実用の両面からの効果が得られる。
【図面の簡単な説明】
【図１】一般的な下衣パターンである。
【図２】通常の下衣フロントデザイン画である。
【図３】通常パターンベースでリバーシブルを作ったときのフロントデザイン画である。
【図４】リバーシブルパンツの表裏デザイン画である。
【図５】リバーシブルパンツのパターンである。
【図６】縫い方の説明である。
【図１】
0003101519.tif 000003
【図２】
0003101519.tif 000004
【図３】
0003101519.tif 000005
【図４】
0003101519.tif 000006
【図５】
0003101519.tif 000007
【図６】
0003101519.tif 000008
【手続補正書】
【提出日】平成15年11月5日(2003.11.5)
【手続補正１】
【補正対象書類名】実用新案登録請求の範囲
【補正対象項目名】全文
【補正方法】変更
【補正の内容】
【実用新案登録請求の範囲】
【請求項１】
下衣の前立て部分の左右バランスを前立て中心とし、ファスナーを共地で挟み込んで左右の表裏を対称に作り込み、それぞれのパーツを折伏せ縫いで縫い合わせ、そしてベルトループやポケットのデザインは違っても大きさを共通化させることによって、一本のパンツでより実用的に表裏両面着用でき、両面のデザイン変化でいろんなコーディネートが楽しめる下衣。
(57)【要約】      （修正有）【課題】メロンの鉢植えでの水耕栽培の目的は、メロンは果実であり根が多く張り、この根からの肥料の吸収を促進させないと、より良いメロンの収穫は出来ません。このため、いかに根の張りを良くし多くの肥料を吸収させるかが、良いメロンを鉢植えで作る上での必要条件です。【解決手段】根の育成に最大の注意を図り、苗をいきなり大きな鉢４に植え、根５を大きく伸ばし鉢の底からはみ出る根を十分に活用し、より早く生育させるよう試みました。そこで、鉢の受け皿として、水耕栽培装置を考案し、鉢植えとの併用により、メロンの鉢植え栽培を可能に致しました。また、この中に炭６を入れ保水力、水分中の塩素を取り除く作用も取り入れました。【選択図】図１
0003101511.tif 000002
【実用新案登録請求の範囲】
【請求項１】
透明水槽装置により、自動的に水の補給が出来る
【請求項２】
現状、鉢の中の培養土により栽培を行っていたが、これを水耕栽培方式との併用にする。
【考案の詳細な説明】
【０００１】通常の畑植え栽培から、鉢植え栽培にし生育途中で根が鉢からはみ出る根の部分を水耕栽培として生育し、培養土と水耕栽培の両方の栽培方式を採用
【考案の属する技術分野】
【０００２】水耕栽培装置の考案
【従来の技術】
【０００３】既存の１０号鉢で栽培
【考案が解決しようとする課題】
【０００４】メロンの根の生育助成方法
【問題を解決するための手段】
【０００５】水耕栽培装置の採用
【考案の実施の形態】
【０００６】「図−２」による水耕栽培装置の上に鉢を載せて栽培する
【実施例】
【０００７】メロンが小さい内は鉢植えで行う。
【０００８】メロンが生長すると根が鉢の底からはみ出る。この部分を水耕栽培装置を採用し、根で成分補給をする。
【考案の効果】
【０００９】培養土と水耕栽培の両方の栽培方式を採用するこ  とにより、目的を達成した。
【００１０】家庭のベランダでも簡単に栽培でき子供から大人まで楽しめる。
【００１１】鉢植えだと水の補給が大変だが、水耕栽培装置の採用により、水の量が分かり水の補給が容易。
【００１２】鉢植えと水耕栽培装置にて双方で成分補給する事により、より多くの成長成果が得られる。
【００１３】鉢植えにより少スペース栽培が可能となり、手軽にベランダ等で栽培でき観賞用として楽しむことも出来る。
【図面の簡単な説明】
【図１】鉢植え水耕栽培装置併用の立体図面である。
【図２】水耕栽培装置の正面図と側面図である。
【符号の説明】
１  水耕栽培装置
２  支柱（メロンの幹を結わえるために立てる）
３  支柱支え治具（支柱に３ヶ所に、等間隔に付ける）
４  鉢（１０号鉢を使用）
５  根（メロンが成長すると鉢の底からはみ出す根、この根が成分を吸収する）
６  炭（保水力、塩素を取り除くために入れる）
７  注入口（ここから、水肥、水等を挿入する）
【図１】
0003101511.tif 000003
【図２】
0003101511.tif 000004
【手続補正書】
【提出日】平成15年9月19日(2003.9.19)
【手続補正３】
【補正対象書類名】明細書
【補正対象項目名】実用新案登録請求の範囲
【補正方法】変更
【補正の内容】
【実用新案登録請求の範囲】
【請求項１】
透明水槽装置により、鉢の根張り、を良くする
【請求項２】
水の補給が簡単に出来る
【手続補正書】
【提出日】平成15年11月25日(2003.11.25)
【手続補正１】
【補正対象書類名】明細書
【補正対象項目名】実用新案登録請求の範囲
【補正方法】変更
【補正の内容】
【実用新案登録請求の範囲】
【請求項１】
水槽内に培養液と炭を入れ、鉢を上に載せて栽培する水耕栽培装置
【請求項２】
水槽を透明とした請求項１記載の水耕栽培装置
(57)【要約】【課題】  現場における作業効率を向上させつつ、コンクリート製ブロック構造物同士を、確実、簡単に接合することができる、継ぎ手部材を提供する。【解決手段】  コンクリート製ブロック構造物の接合において、継ぎ手になる部材、たとえば金属棒の両端部に、接着剤を封入した、ガラス製カプセルを接合し、その接合部分に、継ぎ手部材の取り付け時位置及び方向を、確実に取り付け孔に保持させるための、パッキンを取り付けた、コンクリート製ブロック構造物の継ぎ手部材である、接合すべきコンクリート製ブロック構造体の接合位置に、相対して作成の段付き取り付け孔の片側に、継ぎ手部材を挿入し、パッキンにて固定保持する、継ぎ手部材と接合相手の取り付け孔とを合わせ、両ブロックを圧し合わせる、、押し込み力により継ぎ手部材の金属棒１はガラス製カプセル２を破壊し、封入の接着剤が混合、接着作用が始まる、そのまま接合面を合致させ、硬化養生を行なう。【選択図】  図２
0003101535.tif 000002
【実用新案登録請求の範囲】
【請求項１】
コンクリート製ブロック構造物の接合において、継ぎ手になる部材、たとえば金属棒の両端部に、接着剤を封入した、ガラス製カプセルを接合し、その接合部分に、継ぎ手部材の取り付け位置及び方向を、確実に取り付け孔に保持させるための、パッキンを取り付けた、コンクリート製ブロック構造物の継ぎ手部材。
【請求項２】
本考案の継ぎ手部材により結合されるコンクリート製ブロック構造物の接合面に加工をおこなう取り付け孔は、継ぎ手部材のパッキンを挿入し継ぎ手部材を保持するための、パッキンにあわせた直径と深さを挿入口に設けた、段つきの孔形状とする。
【考案の詳細な説明】
【技術分野】
【０００１】  本考案は、接着剤を用いて、コンクリート製ブロック構造物を、接合させるものである。
【背景技術】
【０００２】  従来は、接合させるべきコンクリート製ブロックの片側にあらかじめ接合金物等を埋め込み、接続させた相手がわの取り付け孔に、モルタル等の接続剤を充填する。
又はコンクリート製ブロック相互間に貫通させた取り付け孔を設け、ボルト、ナット、により締結している。
【考案の開示】
【考案が解決しようとする課題】
【０００３】  モルタル等の充填、又はボルト、ナット、による締結作業等には、多大な労力と、時間を要する、本考案は、これらの欠点を除くためになされたのである。
【課題を解決するための手段】
【０００４】  コンクリート製ブロック構造物の接合において、継ぎ手になる部材、たとえば金属棒の両端部に、接着剤を封入した、ガラス製カプセルを接合し、その接合部分に、継ぎ手部材の取り付け位置及び方向を、確実に取り付け孔に保持させるための、パッキンを取り付けた、コンクリート製ブロック構造物の継ぎ手部材を用いる【０００５】  本考案の継ぎ手部材により結合されるコンクリート製ブロック構造物の接合面に加工をおこなう取り付け孔は、継ぎ手部材のパッキンを挿入し継ぎ手部材を保持するための、パッキンにあわせた直径と深さを挿入口に設けた、段つきの孔形状とする。
【考案の効果】
【０００６】  重量のあるコンクリート製ブロック構造物において、接合箇所が複数箇所あり、その取り付け面が、水平方向または上下方向でも、本案の継ぎ手部材によればワンタッチで強固に接合ができる。
【考案を実施するための最良の形態】
【０００７】  以下、本案の実施の形態について説明する、図１、は本考案の、継ぎ手部材の斜視図である、コンクリート製ブロック構造物４の接合において、継ぎ手になる部材、たとえば金属棒１の両端部に、接着剤を封入した、ガラス製カプセル２を接合し、その接合部分に、継ぎ手部材の取り付け位置及び方向を、確実に取り付け孔に保持させるための、パッキン３を取り付けた、コンクリート製ブロック構造物４の継ぎ手部材。
【実施例】
【０００８】  図２、は本考案の継ぎ手部材の実施例の斜視図である、本考案の継ぎ手部材により結合されるコンクリート製ブロック構造物４の接合面に加工をおこなう取り付け孔５は、継ぎ手部材のパッキン３を挿入し継ぎ手部材を保持するための、パッキン３にあわせた直径と深さを挿入口に設けた、段つきの孔形状５とする。【０００９】  コンクリート製ブロック構造物４同士の結合は、コンクリート製ブロック構造物４の相対した片側の取り付け孔５、に継ぎ手部材片側のガラス製カプセル２、の部分をパッキン３まで挿入しパッキン３にて定められた位置に保持させる。【００１０】  接合相手のコンクリート製ブロック構造物４の取り付け孔５の芯を合わせコンクリート製ブロック構造物４同士を圧入押し込み作業をおこなう、押し込み力により継ぎ手部材の金属棒１はガラス製カプセル２を破壊し、封入の接着剤が混合、接着作用が始まる。【００１１】  接合面が合致すれば、そのまま硬化養生を行なう、図３、は接合面が合致時の断面図である。
【産業上の利用可能性】
【図面の簡単な説明】
【００１２】
【図１】  本考案の継ぎ手部材の斜視図である。
【図２】  本考案の実施例の斜視図である。
【図３】  本考案の接合面が合致時の断面図である。
【符号の説明】
【００１３】    １    金属棒
２    接着剤封入のガラス製カプセル
３    パッキン
４    コンクリート製ブロック構造体
５    取り付け孔
６    接着剤、
【図１】
0003101535.tif 000003
【図２】
0003101535.tif 000004
【図３】
0003101535.tif 000005
【手続補正書】
【提出日】平成15年12月9日(2003.12.9)
【手続補正１】
【補正対象書類名】実用新案登録請求の範囲
【補正対象項目名】請求項２
【補正方法】変更
【補正の内容】
【請求項２】
請求項１に記載の継ぎ手部材により結合されるコンクリート製ブロックであって、継ぎ手部材のパッキンを挿入し継ぎ手部材を保持するための、パッキンにあわせた直径と深さを挿入口に設けた段つき形状の取り付け孔を有するコンクリート製ブロック。
(57)【要約】      （修正有）【課題】後ろに乗った人が立ったまま乗ったり、前向きや横向きに座ったり、乗るときや坂道などではキックスケートのように地面を蹴って走行に協力できる２人乗り自転車を提供する。【解決手段】通常の自転車１に、シートパイプ２をシート支持パイプ３と４で取り付け、スケートボード５を、シートパイプ２とボード支持パイプ６・７・８で取り付けたものである。さらに、シートパイプ２には、スケートハンドル９と柔らかい樹脂のシートクッション１０を巻き付け、車輪のスポークに足を挟まないよう、プラスチックカバー１１をシート支持パイプとボード支持パイプの車輪側に取り付けたものである。【選択図】図１
0003101532.tif 000002
【実用新案登録請求の範囲】
自転車の後輪の両横にキックスケートのようなステップ（スケートボード）と、固定ハンドル、シートパイプを取り付けた、スケートと自転車の両方の楽しさ、手軽さを楽しめる２人乗りの「スケートサイクル」である。
【考案の詳細な説明】
【考案の詳細な説明】
〔産業上の利用分野〕
【０００１】  この考案は、簡単に乗り降りできる２人乗りの自転車で、広い遊園地や公園、工場内などで利用できる自転車であり、２人乗りが禁止されていない外国では街中で２人乗りができる自転車である。
〔従来の技術〕
【０００２】  従来、普通の自転車に２人乗りする場合は、後ろの荷台に座って乗るか、車輪軸に延長棒をつけてその上に立って乗るかであり、立ったり座ったりして乗ったり、後ろの人が乗ったまま発車時や坂道などで走行を助けることはできなかった。
〔考案者が解決しようとしている課題点〕
【０００３】  本考案は、その欠点を除いて、後ろに乗った人が立ったまま乗ったり、前向きや横向きに座ったり、乗るときや坂道などではキックスケートのように地面を蹴って走行に協力できる２人乗り自転車である。
〔課題を解決するための手段〕
【０００４】  その解決手段を図面で説明すると、この自転車は、通常の自転車１に、シートパイプ２をシート支持パイプ３と４でフレーム取り付け、スケートボード５を、シートパイプ２とボード支持パイプ６・７・８で取り付けたものである。さらに、シートパイプ２には、スケートハンドル９と、柔らかい樹脂のシートクッション１０を巻き付けるとともに、車輪のスポークに足を挟まないよう、プラスチックカバー１１をシート支持パイプとボード支持パイプの車輪側に取り付ける。
〔作用〕
【０００５】  本案は以上のような構造のスケートサイクルであり、曲乗りなどを含めてスケートと自転車の両方の楽しさ、手軽さを楽しめる自転車であり、現在のところ、広い遊園地や公園、工場や商業施設などで、２人乗りで自転車を楽しんだり、手軽な移動に利用できる利便性の高い自転車である。２人乗りが禁止されていない外国などでは街乗りの便利な自転車として利用することができる。
〔実施例〕
【０００６】  本考案は、通常の自転車に部品を追加するたけで簡単に取り付けることができるものであり、車輪の大きさや自転車の形にあわせて、サイズの違う各部品を用意して取り付けることができるようにする。
なお、後輪には負荷が大きいので、２人乗り用に太いタイヤのものに取り替えるなどの調整が必要である。
〔考案の効果〕
【０００７】  本考案により、広い遊園地や公園、工場や商業施設などで、２人乗りで自転車でを楽しんだり、手軽な移動に利用できるようになり、自転車利用の新しい楽しさや利便性のアピールができるようになる。また、子どもが自転車に乗り始めの時に、後ろから大人が支えてバランスを取りながら、自転車を教えることができる。
【図面の簡単な説明】
【図１】  本考案の立面図
【図２】  本考案のスケートボードの平面図
【符号の説明】
１  自転車
２  シートパイプ
３  シート支持パイプ１
４  シート支持パイプ２
５  スケートボード
６  ボード支持パイプ１
７  ボード支持パイプ２
８  ボード支持パイプ３
９  スケートハンドル
１０  シートクッション
１１  プラスチックカバー
【図１】
0003101532.tif 000003
【図２】
0003101532.tif 000004
【手続補正書】
【提出日】平成15年11月19日(2003.11.19)
【手続補正１】
【補正対象書類名】実用新案登録請求の範囲
【補正対象項目名】全文
【補正方法】変更
【補正の内容】
【実用新案登録請求の範囲】
【請求項１】
自転車の後輪の両横に後乗者が立って乗ったり座って足を置けるスケートボードを取り付け、後輪に沿って前座りや横座りのできるシートクッションを巻いたシートパイプを取り付けるとともに、後乗者が自転車を押したり体を支えるためのハンドルを装着した、自転車とスケートの両方の楽しさ手軽に楽しめる２人乗りのスケートサイクル。
(57)【要約】      （修正有）【課題】ナットを専用工具で締める際の掛動力が強力に伝達せず、またナットから専用工具が外れる事により生じる凸部の破損が頻発することにより、この改良が切実に要望されていることを課題とする。【解決手段】従来ナット頭部の凹部２を多少深く削り、凹部２に対応する凸部４を持つ専用工具底面６がナット上面５において密着することにより、摩擦を生じさせて外れ防止をしたナットである。【選択図】図２
0003101538.tif 000002
【実用新案登録請求の範囲】
【請求項１】
通常のナット１の頭に複数の凹部２を間隔を介して配列し、その間隔にナット上面５を有す。前記凹部２に対応する同数の凸部４と専用工具底面６により回転できるようにしたナット。
【考案の詳細な説明】
【技術分野】
【０００１】ナットを専用工具で締め緩めする際の勘合部密着改良に関するものである。
【背景技術】
【０００２】従来ナット凹部２は浅いために、これから専用工具３が外れやすい状態にある。
【考案の開示】
【考案が解決しようとする課題】
【０００３】本考案はナット１を専用工具３で締める際の掛動力が強力に伝達せず、またナット１から専用工具３が外れる事により生じる凸部４の破損が頻発することにより、この改良が切実に要望されていることを課題とする。
【課題を解決するための手段】
【０００４】従来ナット頭部の凹部２を多少深く削り、凹部２に対応する凸部４を持つ専用工具底面６がナット上面５において密着することにより、摩擦を生じさせて外れ防止をしたナットである。
【考案の効果】
【０００５】請求項１のナット１によれば専用工具３の回転力が強力に伝達される。さらにナット１から専用工具３の離脱防止により、専用工具凸部４が容易に破損しないためにナット１に対してトルクを掛けられる効果がある。
【考案を実施するための最良の形態】
【０００６】図１における専用工具凸部４を図３・図４・図５にみられる頭部に凹部２のあるナット１へ図２のように完全に刺し込むことにより、図２における専用工具底面６と図２におけるナット上面５が密着するナット・専用工具。
【産業上の利用可能性】
【０００７】本考案は従来ナット１凹部２の形態を改良し、専用工具３での回転力がもっと強力に伝達される。また使用中における専用工具３の離脱における凸部４の破損が生じないように改良したものである。本考案は、また、同様のナット・専用工具にも関する。
【図面の簡単な説明】
【０００８】
【図１】  従来ナットの横断面図
【図２】  本考案ナットの横断面図
【図３】  図２のナットの平面図
【図４】  ナットの平面図
【図５】  ナットの平面図
【符号の説明】
【０００９】    １……ナット
２……凹部
３……専用工具
４……凸部
５……ナット上面
６……専用工具底面
【図１】
0003101538.tif 000003
【図２】
0003101538.tif 000004
【図３】
0003101538.tif 000005
【図４】
0003101538.tif 000006
【図５】
0003101538.tif 000007
【手続補正書】
【提出日】平成15年11月17日(2003.11.17)
【手続補正１】
【補正対象書類名】実用新案登録請求の範囲
【補正対象項目名】全文
【補正方法】変更
【補正の内容】
【実用新案登録請求の範囲】
【請求項１】
ナット１の頭部に複数の凹部２を間隔を介して配列し、この間隔においてナット上面５を形成した部分に対応する専用工具底面６と凸部４を持つ専用工具３により回動できるようにしたナット。
【手続補正３】
【補正対象書類名】明細書
【補正対象項目名】０００１
【補正方法】変更
【補正の内容】
【０００１】ナット１を専用工具３で締め緩めする際の勘合部密着改良に関するナットである。
【手続補正５】
【補正対象書類名】明細書
【補正対象項目名】０００５
【補正方法】変更
【補正の内容】
【０００５】請求項１のナット１によれば専用工具３で締める際の掛動力が強力に伝達される。さらにナット１から専用工具３の離脱防止により、専用工具凸部４が容易に破損しないためにナット１に対してトルクを掛けられる効果がある。
【手続補正６】
【補正対象書類名】明細書
【補正対象項目名】０００６
【補正方法】変更
【補正の内容】
【０００６】図１における専用工具凸部４を図３・図４・図５にみられるナット１の凹部２へ図２のように完全に刺し込むことにより、図１における専用工具底面６と図３・図４・図５におけるナット上面５が密着するナット。
【手続補正７】
【補正対象書類名】明細書
【補正対象項目名】０００７
【補正方法】変更
【補正の内容】
【０００７】本考案は従来ナット凹部２の形態を改良し、専用工具３で回転力がもっと強力に伝達される。また使用中における専用工具３の離脱における凸部４の破損が生じないように改良したナットである。本考案は、また、同様のナットにも関する。
【手続補正８】
【補正対象書類名】明細書
【補正対象項目名】０００８
【補正方法】変更
【補正の内容】
【０００８】    【図１】  従来ナット１の使用状態の横断面図    【図２】  本考案ナット１の使用状態の横断面図    【図３】  図２のナット１の平面図    【図４】  平面形状の異なる凹部２をもつナット１の平面図    【図５】  平面形状の異なる凹部２をもつナット１の平面図【手続補正９】
【補正対象書類名】図面
【補正対象項目名】全図
【補正方法】変更
【補正の内容】
【書類名】図面    【図１】0003101538.tif 000008
【図２】0003101538.tif 000009
【図３】0003101538.tif 000010
【図４】0003101538.tif 000011
【図５】0003101538.tif 000012
(57)【要約】      （修正有）【課題】タブを有するカンの蓋を開ける際に、タブを上げるのに要する指の力等を軽減する。【解決手段】カンの、タブを有する面に設けた除々に浅くなる溝２に沿って、タブ裏面に設けた凸部分１を溝の深い方３より浅い方へスライドさせることにより、タブの一方をカンの面より上昇させることができ、カンとタブとの空間が拡大し、タブが引き上げやすくなる。【選択図】図１
0003101506.tif 000002
【実用新案登録請求の範囲】
【請求項１】
カンのタブ裏面の一部分の形状を凸１状態とする。またカンの、タブを有する面に、除々に浅くなる底を持たせた溝（凹）２を設ける。そして、タブ裏面の凸部分が上記溝に組み合わさった状態で、溝の深い方３より、浅い方４（タブを指等で引き上げる際のタブの位置方向）へスライドする時、タブの一方がカンの面より除々に上昇する機能を有するカン。
【請求項２】
カンのタブの側面に、タブを指等でスライドさせるための補助平面６を設ける。
【考案の詳細な説明】
【０００１】
【考案が解決しようとする課題】
従来、カンの蓋を開けるためのタブは、カンのタブを有する面とほぼ水平に設置され、指でタブを上げようとする時、指の爪を痛めるなどの不便さを生じていた。
【０００２】
【課題を解決するための手段】
この課題を解決するため、カンのタブ裏面の一部分の形状を凸状態とし、カンのタブを有する面に設けた除々に浅くなる溝の深い箇所に、その凸部分を組み合わせる。このタブの初期位置から、タブを指等で引き上げる際の位置までタブをスライドさせることにより、タブの一方はタブ裏面の凸部分によってカンのタブを有する面より上昇する。
【０００３】
【考案の効果】
これにより、カンの蓋を開ける際に、カンとタブの一方との空間が拡大し、タブに指等をかけ易くなり、タブを上げるのに要する指の力等を軽減できる。
【図面の簡単な説明】
【図１】タブを、指等で引き上げる位置までスライドさせたときの、カンの平面図及び側面図である。
【図２】タブが初期位置にあるときの、カンの平面図及び側面図である。
【符号の説明】
１  タブ裏面に設けた凸部
２  カンのタブを有する面に設けた除々に浅くなる溝
３  溝の深い箇所
４  溝の浅い箇所
５  指等でタブを引き上げる際のタブの位置
６  タブ側面に設けた平面
７  タブの初期位置
８  カンの開け口
９  符号５においてのタブの位置決め凹
【図１】
0003101506.tif 000003
【図２】
0003101506.tif 000004
【手続補正書】
【提出日】平成15年6月26日(2003.6.26)
【手続補正２】
【補正対象書類名】明細書
【補正対象項目名】実用新案登録請求の範囲
【補正方法】変更
【補正の内容】
【実用新案登録請求の範囲】
【請求項１】
カンのタブ裏面の一部分が凸状態の形状を持ち、カンのタブを有する面に徐々に浅くなる底を持った溝（凹）からなるカンで、上記タブ裏面の凸部分が、上記溝（凹）に組み合わさった状態で、溝の深い方より浅い方（タブを指等で引き上げる際のタブの位置方向）へスライドする時、タブの一方がカンの面より除々に上昇する機能を有する、以上の構成からなることを特徴とするカン。
【請求項２】
請求項１に記載のカンにおいて、請求項１に記載の溝（凹）に組み合わせてスライドさせる凸状態の形状を、カンのタブ裏面の一部分に設けたカン。
【請求項３】
請求項１及び請求項２に記載のカンにおいて、タブを有する面に、除々にその底が浅くなる溝（凹）を設けたカン。
【請求項４】
請求項３に記載のカンにおいて、タブの側面にタブを指等でスライドさせるための補助平面を設けたカン。
【手続補正書】
【提出日】平成15年11月3日(2003.11.3)
【手続補正１】
【補正対象書類名】明細書
【補正対象項目名】請求項１
【補正方法】変更
【補正の内容】
【請求項１】
カンのタブ裏面の一部分が凸状態の形状を持ち、カンのタブを有する面に徐々に浅くなる底を持った溝（凹）からなるカンで、上記タブ裏面の凸部分が、上記溝（凹）に組み合わさった状態で、溝の深い方より浅い方であるタブを指等で引き上げる際のタブの位置方向へスライドする時タブの一方がカンの面より除々に上昇する機能を有する、以上の構成からなることを特徴とするカン。